(57)【要約】【課題】リテーナの小型化を図る。【解決手段】ハウジング１０は、端子保持部１２と、端子保持部１２の前面に臨む嵌合空間２３とを有する。端子保持部１２の前端部には、リテーナ３３が取り付けられている。リテーナ３３は仮係止位置と本係止位置との間で移動可能である。嵌合空間２３内には、リテーナ３３の前面と対向するムービングプレート４４が収容され、ムービングプレート４４には前後方向に貫通した形態で開口部４８が形成され、リテーナ３３には、開口部４８に対し後方から対向する被操作部４１が形成され、開口部４８に挿入した治具５１，５２，５４が被操作部４１と接触可能である。【選択図】図４
2020080272.tif 000002
【特許請求の範囲】
【請求項１】
端子保持部と、前記端子保持部の前面に臨む嵌合空間とを有するハウジングと、
前端部にタブを有し、前記タブを前記嵌合空間内へ突出させた状態で前記端子保持部に保持された端子金具と、
前記端子保持部の前端部に取り付けられ、前記端子保持部に対する前記端子金具の挿抜動作を許容する仮係止位置と、前記端子保持部に正規保持された前記端子金具を抜止めする本係止位置との間で移動可能なリテーナと、
前記リテーナの前面と対向するように前記嵌合空間内に収容され、前記タブを位置決めするムービングプレートと、
前記ムービングプレートに前後方向に貫通した形態で形成され、前記ムービングプレートの前方から治具を挿入することが可能な開口部と、
前記開口部に対し後方から対向するように前記リテーナに形成され、前記開口部に挿入した前記治具の接触を可能にした被操作部とを備えていることを特徴とするコネクタ。
【請求項２】
前記本係止位置が前記仮係止位置よりも後方に設定され、
前記被操作部が、前記リテーナの前方に臨む押し面を含んでいることを特徴とする請求項１記載のコネクタ。
【請求項３】
前記ハウジングが、前記端子保持部に正規挿入された前記端子金具を抜止めするための弾性撓み可能なランスを有し、
前記リテーナが、前記ランスの撓み空間に挿入可能な撓み規制部を有し、
前記押し面が前記撓み規制部の前面に形成されていることを特徴とする請求項２記載のコネクタ。
【請求項４】
前記本係止位置が前記仮係止位置よりも後方に設定され、
前記被操作部が、前記リテーナの後方に臨む引掛け面を含んでいることを特徴とする請求項１ないし請求項３のいずれか１項に記載のコネクタ。
【請求項５】
前記ハウジングが、前記端子保持部に正規挿入された前記端子金具を抜止めするための弾性撓み可能なランスを有し、
前記開口部が、前記ランスに対して前方から対向する位置に配されていることを特徴とする請求項１ないし請求項４のいずれか１項に記載のコネクタ。
【発明の詳細な説明】
【技術分野】
【０００１】
本発明は、コネクタに関するものである。
【背景技術】
【０００２】
特許文献１には、端子収容部からフード部を前方へ突出させた形態の雄コネクタが開示されている。端子収容部には雄端子金具が収容され、雄端子金具のタブがフード部内に突出している。端子収容部のうちフード部に臨む前端部には、タブを貫通させた形態のリテーナが取り付けられている。リテーナは、端子収容部に対する雄端子金具の挿抜動作を許容する仮係止位置と、端子収容部に正規挿入された雄端子金具を抜止めする本係止位置との間で前後方向に移動可能となっている。フード部内には、タブを貫通させた状態で位置決めするためのムービングプレートが収容されている。ムービングプレートは、リテーナの前面と対向するように配されている。
【先行技術文献】
【特許文献】
【０００３】
【特許文献１】特開２００６−２５３０７４号公報
【発明の概要】
【発明が解決しようとする課題】
【０００４】
リテーナには、前方へ突出した形態のこじり防止部が形成されている。こじり防止部は、ムービングプレートを貫通して前方へ突出しているので、こじり防止部を指で摘んで押し引きすることにより、リテーナを仮係止位置と本係止位置との間で変位させることができる。しかし、リテーナの前面からこじり防止部が突出しているため、リテーナが大型化している。
【０００５】
本発明は上記のような事情に基づいて完成されたものであって、リテーナの小型化を図ることを目的とする。
【課題を解決するための手段】
【０００６】
本発明は、
端子保持部と、前記端子保持部の前面に臨む嵌合空間とを有するハウジングと、
前端部にタブを有し、前記タブを前記嵌合空間内へ突出させた状態で前記端子保持部に保持された端子金具と、
前記端子保持部の前端部に取り付けられ、前記端子保持部に対する前記端子金具の挿抜動作を許容する仮係止位置と、前記端子保持部に正規保持された前記端子金具を抜止めする本係止位置との間で移動可能なリテーナと、
前記リテーナの前面と対向するように前記嵌合空間内に収容され、前記タブを位置決めするムービングプレートと、
前記ムービングプレートに前後方向に貫通した形態で形成され、前記ムービングプレートの前方から治具を挿入することが可能な開口部と、
前記開口部に対し後方から対向するように前記リテーナに形成され、前記開口部に挿入した前記治具の接触を可能にした被操作部とを備えていることを特徴とする。
【発明の効果】
【０００７】
ムービングプレートの前方から開口部に挿通した治具で被操作部を操作することにより、リテーナを仮係止位置と本係止位置との間で移動させることが可能である。リテーナには前方へ突出する長尺の突起部を形成する必要がないので、リテーナの小型化を図ることができる。
【図面の簡単な説明】
【０００８】
【図１】実施例１の雄側コネクタの斜視図
【図２】雄側コネクタの正面図
【図３】ハウジングの分解斜視図
【図４】ムービングプレートが待機位置にあり、リテーナが仮係止位置にある状態をあらわす図２のＸ−Ｘ線側断面図
【図５】ムービングプレートが待機位置にあり、リテーナが本係止位置にある状態をあらわす図２のＸ−Ｘ線側断面図
【図６】ムービングプレートが待機位置にあり、リテーナが本係止位置にある状態をあらわす図２のＹ−Ｙ線側断面図
【図７】治具によってランスを端子金具から解離させた状態をあらわす図２のＹ−Ｙ線側断面図
【図８】リテーナの正面図
【図９】リテーナ平面図
【図１０】ムービングプレートの正面図
【図１１】雄側コネクタと雌側コネクタを嵌合した状態の側断面図
【発明を実施するための形態】
【０００９】
本発明は、前記本係止位置が前記仮係止位置よりも後方に設定され、前記被操作部が、前記リテーナの前方に臨む押し面を含んでいてもよい。この構成によれば、開口部に挿通した治具で押し面を押すことにより、リテーナを仮係止位置から本係止位置へ移動させることができる。
【００１０】
本発明は、前記ハウジングが、前記端子保持部に正規挿入された前記端子金具を抜止めするための弾性撓み可能なランスを有し、前記リテーナが、前記ランスの撓み空間に挿入可能な撓み規制部を有し、前記押し面が前記撓み規制部の前面に形成されていてもよい。この構成によれば、撓み規制部が押し面としての機能を兼ね備えているので、リテーナの形状の簡素化することができる。
【００１１】
本発明は、前記本係止位置が前記仮係止位置よりも後方に設定され、前記被操作部が、前記リテーナの後方に臨む引掛け面を含んでいてもよい。この構成によれば、開口部に挿通した治具を引掛け面に引っ掛けて前方へ引っ張ることにより、リテーナを本係止位置から仮係止位置へ移動させることができる。
【００１２】
本発明は、前記ハウジングが、前記端子保持部に正規挿入された前記端子金具を抜止めするための弾性撓み可能なランスを有し、前記開口部が、前記ランスに対して前方から対向する位置に配されていてもよい。この構成によれば、ムービングプレートの前方から開口部に挿通した治具により、ランスを弾性撓みさせて端子金具から解離させることができる。
【００１３】
＜実施例１＞
以下、本発明を具体化した実施例１を図１〜図１１を参照して説明する。尚、以下の説明において、前後の方向については、図１，３〜７，９，１１における左方を前方と定義する。上下の方向については、図１〜８，１０，１１にあらわれる向きを、そのまま上方、下方と定義する。
【００１４】
本実施例１の雄側コネクタＭ（請求項に記載のコネクタ）は、雌側コネクタＦ（図１１を参照）と嵌合可能である。雌側コネクタＦは、全体として前後方向に長いブロック状をなす、雌側コネクタＦ内には複数の雌端子金具４９が左右方向に並列した状態で収容されている。図３に示すように、雄側コネクタＭは、ハウジング１０と、一括ゴム栓１５と、リヤホルダ１７と、複数の雄端子金具２８（請求項に記載の端子金具）と、リテーナ３３と、ムービングプレート４４とを備えて構成されている。
【００１５】
＜ハウジング１０＞
ハウジング１０は、合成樹脂製のハウジング本体１１と、フロントフード２１と、嵌合検知部材２５と、シールリング２６とを組み付けて構成されている。ハウジング本体１１は、端子保持部１２と、端子保持部１２の前端部外周縁から前方へ突出した形態の筒状部１３とを有する単一部材である。
【００１６】
図４〜７，１１に示すように、端子保持部１２内には、端子保持部１２を前後方向に貫通した形態の複数の端子収容室１４が、左右方向に並列して形成されている。図１１に示すように、ハウジング本体１１の後端部には、各端子収容室１４と個別に対応する複数のシール孔１６を有する一括ゴム栓１５が取り付けられている。一括ゴム栓１５は、ハウジング本体１１取り付けたリヤホルダ１７により、ハウジング本体１１への組付け状態に保持されている。各端子収容室１４には、ハウジング本体１１の後方からシール孔１６を貫通した雄端子金具２８が挿入されるようになっている。
【００１７】
図４〜７に示すように、各端子収容室１４内には、端子収容室１４を構成する下壁部に沿って前方へ片持ち状に延出した形態のランス１８が形成されている。ランス１８は、端子収容室１４から遠ざかる方向（下方）への弾性撓みが可能である。端子保持部１２には、ランス１８の弾性撓みを許容するための撓み空間１９が形成されている。ランス１８と撓み空間１９の前方には、ハウジング本体１１（端子保持部１２）の前方へ開放された型抜き空間２０が形成されている。
【００１８】
図１，１１に示すように、ハウジング本体１１（筒状部１３）の前端部には、筒状のフロントフード２１が同軸状に取り付けられている。フロントフード２１には、嵌合検知部材２５が、初期位置と、初期位置より前方の検知位置との間での移動を可能に取り付けられている。両コネクタＦ，Ｍが未嵌合又は半嵌合の状態では、嵌合検知部材２５は、初期位置に保持され、検知位置へ移動させることはできない。両コネクタＦ，Ｍが正規嵌合すると、嵌合検知部材２５を初期位置から検知位置へ押し込むことができるようになっている。
【００１９】
筒状部１３にフロントフード２１を組み付けることにより、フード部２２が構成されている。フード部２２の内部空間は、ハウジング１０の前方に開放された嵌合空間２３となっている。嵌合空間２３内には、前方から雌側コネクタＦが嵌入されるようになっている。雌側コネクタＦがフード部２２内に正規嵌合されると、フロントフード２１に一体形成されたロックアーム２４が雌側コネクタＦに係止し、この係止作用により両コネクタＦ，Ｍが嵌合状態にロックされる。
【００２０】
＜雄端子金具２８＞
雄端子金具２８は、図４に示すように、全体として前後方向に細長い形状である。雄端子金具２８は、端子本体部２９と、端子本体部２９の前端から前方へ片持ち状に突出した形態のタブ３０と、端子本体部２９の後端から後方へ延出したオープンバレル状の電線圧着部３１とを備えた単一部品である。端子本体部２９の下面には、係止突起３２が形成されている。電線圧着部３１には、電線（図示省略）の前端部が導通可能に固着されている。
【００２１】
雄端子金具２８は、ハウジング１０の後方からリヤホルダ１７と一括ゴム栓１５を貫通して端子収容室１４内に挿入される。雄端子金具２８の挿入過程では、端子本体部２９がランス１８と干渉するので、ランス１８は撓み空間１９側へ退避するように弾性変形する。雄端子金具２８が正規挿入されると、ランス１８が弾性復帰して係止突起３２に係止する。このランス１８による一次係止作用により、雄端子金具２８が後方への移動を規制された抜止め状態に保持される。端子収容室１４に挿入された雄端子金具２８を後方へ抜き取る際には、ランス１８を撓み空間１９側へ弾性変位させて係止突起３２から解離させ、その解離状態を保ったままで、電線を後方へ引っ張る。
【００２２】
＜リテーナ３３＞
リテーナ３３は、ハウジング１０の前方からフード部２２内に挿入され、端子保持部１２の前端部に取り付けられている。リテーナ３３は、仮係止位置（図４，７を参照）と、仮係止位置より後方の本係止位置（図５，６，１１を参照）との間で前後方向に移動し得るようになっている。図３，８，９に示すように、リテーナ３３は、ベース部３４と、前壁部３９とを有する単一部品である。
【００２３】
ベース部３４は、仮係止位置と本係止位置との間でのリテーナ３３の移動方向と平行な略平板状をなす。ベース部３４の厚さ方向は、ランス１８の弾性撓み方向と略平行である。図９に示すように、ベース部３４には、複数の第１切欠部３５と、左右一対の第２切欠部３６が形成されている。複数の第１切欠部３５は、ベース部３４を上下方向（厚さ方向）に貫通した形態であり、左右に間隔を空けてベース部３４の左右方向中央領域に配されている。第２切欠部３６は、ベース部３４を上下方向に貫通した形態であり、ベース部３４の左右両端部に配されている。これらの切欠部３５，３６は、左右方向において複数の端子収容室１４と同じピッチで配置され、複数の端子収容室１４と個別に対応している。ベース部３４の前端部には、複数の切欠部３５，３６の前端に連通するとともにリテーナ３３（ベース部３４）の前方へ開放された連通空間３７が形成されている（図８参照）。
【００２４】
ベース部３４のうち、各切欠部３５，３６の後方に隣接して細長く延びた形態の複数の領域は、撓み規制部３８として機能する。リテーナ３３が仮係止位置にあるときには、撓み規制部３８は撓み空間１９よりも前方に位置するので、ランス１８は、撓み空間１９内に進入しつつ雄端子金具２８から解離又は遠ざかる方向へ弾性撓みすることができる。リテーナ３３が本係止位置にあるときには、撓み規制部３８が撓み空間１９内に進入するので、ランス１８は、雄端子金具２８から解離する方向への弾性撓みを規制される。
【００２５】
前壁部３９は、ベース部３４の前端縁部から上方へ立ち上がった形態である。前壁部３９には、前壁部３９を前後方向に貫通する複数の操作孔４０が、各端子収容室１４と個別に対応するように形成されている。複数の操作孔４０は、左右方向において複数の端子収容室１４及び複数の切欠部３５，３６と同じピッチで配置されている。各操作孔４０の下面は、上記連通空間３７を介してリテーナ３３（ベース部３４）の下方へ開放されている。前後に並ぶ操作孔４０と切欠部３５，３６は、連通空間３７において互いに連通している。
【００２６】
リテーナ３３には、各切欠部３５，３６及び各操作孔４０と個別に対応する複数の被操作部４１が形成されている。被操作部４１は、押し面４２と引掛け面４３とを備えて構成されている。各撓み規制部３８の前端面は、前後方向（リテーナ３３の仮係止位置から本係止位置への移動方向）と直角な平面であり、押し面４２として機能する。押し面４２は、切欠部３５，３６を区画する面であり、連通空間３７を介してリテーナ３３の前方へ開放されている。引っ掛け面は、各操作孔４０の後端の開口縁部に形成され、後方に面している。
【００２７】
＜ムービングプレート４４＞
ムービングプレート４４は、リテーナ３３の前端面と対向するようにフード部２２内に収容され、待機位置と嵌合位置との間で前後方向に移動可能である。ムービングプレート４４は、図１０に示すように、板厚方向を前後方向に向けた平板状のプレート本体部４５と、プレート本体部４５から前方へ片持ち状に延出した複数のガイドアーム４６とを有する単一部品である。ムービングプレート４４は、ガイドアーム４６をフード部２２の内周に摺接させることにより、待機位置（図４〜７を参照）と、待機位置よりも後方の嵌合位置との間で前後方向に移動し得るようになっている。
【００２８】
プレート本体部４５には、前後方向（プレート本体部４５の板厚方向）に貫通した形態の複数の位置決め孔４７が形成されている。複数の位置決め孔４７は、複数の端子収容室１４に対し前後方向に個別に対向するように配置されている。位置決め孔４７にはタブ３０が貫通され、タブ３０は、両コネクタＦ，Ｍの嵌合方向（ムービングプレート４４の移動方向）と直交する方向（上下方向及び左右方向）において位置決めされる。
【００２９】
プレート本体部４５には、複数の開口部４８が形成されている。複数の開口部４８は、複数の位置決め孔４７の真下に個別に位置している。複数の開口部４８は、複数の押し面４２に対し個別に前後方向に対向するように配置されている。また、複数の開口部４８の後方には、引掛け面４３の形成母体である操作孔４０の開口縁部（上縁部）が位置している（図６参照）。
【００３０】
＜実施例１の作用＞
ハウジング１０に雄端子金具２８を組み付ける際には、ムービングプレート４４を待機位置に保持し、リテーナ３３を仮係止位置に保持した状態で、雄端子金具２８をハウジング１０の後方から端子収容室１４内に挿入する。雄端子金具２８の挿入過程では、ランス１８が雄端子金具２８との干渉により撓み空間１９側へ退避するように弾性変位する。雄端子金具２８が正規挿入位置に到達すると、ランス１８が弾性復帰して雄端子金具２８の係止突起３２に係止するので、雄端子金具２８がランス１８によって抜止めされる。
【００３１】
全ての雄端子金具２８の挿入が完了した後、図４に示すように、押込み用治具５１（請求項に記載の治具）を、ハウジング１０の前方から嵌合空間２３内のムービングプレート４４の開口部４８と連通空間３７とに順に差し込み、押込み用治具５１の先端部でリテーナ３３の押し面４２を前方から押す。ここで、ハウジング１０の前方からフード部２２内を目視したとき、開口部４８を通して押し面４２を視認することができるので、押込み用治具５１の先端部で押し面４２を押す操作を、行い易くなっている。
【００３２】
全ての雄端子金具２８が正規挿入されている場合は、図５に示すように、リテーナ３３が仮係止位置から本係止位置へ押し込まれ、撓み規制部３８が撓み空間１９内に進入する。撓み規制部３８が撓み空間１９に進入することにより、ランス１８は、撓み空間１９内への弾性変位を規制され、雄端子金具２８（係止突起３２）との係止状態に保持される。これにより、雄端子金具２８が確実に抜止め状態に保持される。
【００３３】
半挿入状態の雄端子金具２８が存在する場合は、その雄端子金具２８と干渉したランス１８が撓み空間１９内に進出している。そのため、リテーナ３３を本係止位置へ押し込もうとしたときに、撓み規制部３８が撓み空間１９内に進出しているランス１８と干渉するので、リテーナ３３を本係止位置へ押し動かすことができない。これにより、半挿入状態の雄端子金具２８が存在していることを検知できる。
【００３４】
ハウジング１０に雄端子金具２８を組み付けた雄側コネクタＭを、雌側コネクタＦに嵌合する際には、雌側コネクタＦをフード部２２内（嵌合空間２３内）に嵌入する。雌側コネクタＦの嵌入過程では、雌側コネクタＦの前面（図１１における右面）がムービングプレート４４のプレート本体部４５を押すので、雌側コネクタＦとムービングプレート４４が一体となって、嵌合空間２３の奥方へ移動する。この間、雄端子金具２８のタブ３０は、ムービングプレート４４の位置決め孔４７により位置決めされた状態に保たれたまま、雌側コネクタＦ内に挿入されていく。両コネクタＦ，Ｍが正規の嵌合状態に至ると、ムービングプレート４４が嵌合位置に到達し、雌端子金具４９と雄端子金具２８が接続される。
【００３５】
嵌合状態の両コネクタＦ，Ｍを離脱する過程では、嵌合位置のムービングプレート４４が、図示しない連結構造により雌側コネクタＦと一体となって前方へ移動し、待機位置に戻る。ムービングプレート４４が待機位置に戻ると、雌側コネクタＦとムービングプレート４４の連結が解除されるので、ムービングプレート４４が待機位置に保持された状態で、雌側コネクタＦがフード部２２（嵌合空間２３）の前方へ離脱される。
【００３６】
雌側コネクタＦを雄側コネクタＭから離脱した状態において、雄端子金具２８をハウジング１０から抜き取る際には、まず、本係止位置のリテーナ３３を仮係止位置へ引き戻す。このとき、図６に示すように、引戻し用治具５２（請求項に記載の治具）を、ハウジング１０の前方から嵌合空間２３内のムービングプレート４４の開口部４８と操作孔４０に順に差し込み、引戻し用治具５２の先端の鈎部５３をリテーナ３３の引掛け面４３に後方から引っ掛ける。鈎部５３を引掛け面４３に引っ掛けた状態で引戻し用治具５２を前方へ移動させると、本係止位置のリテーナ３３が仮係止位置へ引き戻される。これにより、撓み規制部３８が撓み空間１９の前方へ退避し、ランス１８が撓み空間１９内へ弾性変位し得る状態となる。
【００３７】
リテーナ３３を仮係止位置へ移動させた後は、引戻し用治具５２をリテーナ３３（操作孔４０）及びムービングプレート４４（開口部４８）から抜き取る。その後、図７に示すように、係止解除用治具５４（請求項に記載の治具）をハウジング１０の前方から嵌合空間２３内のムービングプレート４４の開口部４８と操作孔４０に順に差し込み、係止解除用治具５４の先端部をランス１８の前端部に当てて、ランス１８を下方（撓み空間１９側）へ弾性変位させる。ランス１８が弾性変位することにより、ランス１８による雄端子金具２８の抜止め状態が解除されるので、ランス１８を弾性変位させたままで電線を摘んで雄端子金具２８を端子収容室１４から抜き取ればよい。
【００３８】
本実施例１の雄側コネクタＭは、ハウジング１０と雄端子金具２８とリテーナ３３とムービングプレート４４とを有する。ハウジング１０は、端子保持部１２と、端子保持部１２の前面に臨む嵌合空間２３とを有する。雄端子金具２８は、前端部にタブ３０を有しており、タブ３０を嵌合空間２３内へ突出させた状態で端子保持部１２に保持されている。リテーナ３３は端子保持部１２の前端部に取り付けられている。リテーナ３３は、端子保持部１２に対する雄端子金具２８の挿抜動作を許容する仮係止位置と、端子保持部１２に正規保持された雄端子金具２８を抜止めする本係止位置との間で前後方向に移動可能である。ムービングプレート４４は、タブ３０を位置決めする機能を有しており、リテーナ３３の前面と対向するように嵌合空間２３内に収容されている。
【００３９】
ムービングプレート４４には、前後方向に貫通した形態であり、ムービングプレート４４の前方から押込み用治具５１、引戻し用治具５２、係止解除用治具５４を挿入することが可能な開口部４８が形成されている。リテーナ３３には、開口部４８に対し後方から対向するように形成され、開口部４８に挿入した押込み用治具５１、引戻し用治具５２、係止解除用治具５４の接触を可能にした被操作部４１が形成されている。
【００４０】
ムービングプレート４４の前方から開口部４８に挿通した押込み用治具５１で被操作部４１を押し操作することにより、リテーナ３３を仮係止位置から本係止位置へ移動させることできる。また、ムービングプレート４４の前方から開口部４８に挿通した引戻し用治具５２で被操作部４１を引張り操作することにより、リテーナ３３を本係止位置から仮係止位置へ移動させることできる。リテーナ３３には前方へ突出する長尺の突起部を形成する必要がないので、リテーナ３３の小型化を図ることができる。
【００４１】
また、リテーナ３３の本係止位置は仮係止位置よりも後方に設定されており、被操作部４１は、リテーナ３３の前方に臨む押し面４２を含んでいる。この構成によれば、開口部４８に挿通した押込み用治具５１で押し面４２を押すことにより、リテーナ３３を仮係止位置から本係止位置へ移動させることができる。また、ハウジング１０は、端子保持部１２に正規挿入された雄端子金具２８を抜止めするための弾性撓み可能なランス１８を有している。リテーナ３３は、ランス１８の撓み空間１９に挿入可能な撓み規制部３８を有しており、押し面４２は撓み規制部３８の前面に形成されている。この構成によれば、撓み規制部３８が押し面４２としての機能を兼ね備えているので、リテーナ３３の形状の簡素化することができる。
【００４２】
また、リテーナ３３の本係止位置は仮係止位置よりも後方に設定されており、被操作部４１は、リテーナ３３の後方に臨む引掛け面４３を含んでいる。この構成によれば、開口部４８に挿通した引戻し用治具５２を引掛け面４３に引っ掛けて前方へ引っ張ることにより、リテーナ３３を本係止位置から仮係止位置へ移動させることができる。
【００４３】
また、ハウジング１０は、端子保持部１２に正規挿入された雄端子金具２８を抜止めするための弾性撓み可能なランス１８を有しており、開口部４８が、ランス１８に対して前方から対向する位置に配されている。この構成によれば、ムービングプレート４４の前方から開口部４８に挿通した係止解除用治具５４により、ランス１８を弾性撓みさせて雄端子金具２８から解離させることができる。
【００４４】
＜他の実施例＞
本発明は上記記述及び図面によって説明した実施例に限定されるものではなく、例えば次のような実施例も本発明の技術的範囲に含まれる。
（１）上記実施例１では、被操作部が、リテーナを本係止位置へ押し込むための押し面と、リテーナを仮係止位置へ引き戻すための引掛け面とを有しているが、被操作部は、押し面と引掛け面のうちいずれか一方の面だけを有していてもよい。
（２）上記実施例１では、防水タイプのコネクタに適用したが、本発明は、被防水タイプのコネクタにも適用することができる。
（３）上記実施例１では、開口部によってランスを端子金具から解離させるようになっているが、開口部とは別の開口部によってランスを端子金具から解離させるようにしてもよい。
（４）上記実施例１では、開口部がランスに対して前方から対向する位置に配されているが、開口部はランスと対向しない位置に配されていてもよい。
（５）上記実施例１では、開口部の開口縁が全周に亘って連なった形態であるが、開口部の開口縁の一部がムービングプレートの外周縁に開放された形態であってもよい。
【符号の説明】
【００４５】
Ｍ…雄側コネクタ（コネクタ）
１０…ハウジング
１２…端子保持部
１８…ランス
１９…撓み空間
２３…嵌合空間
２８…雄端子金具（端子金具）
３０…タブ
３３…リテーナ
３８…撓み規制部
４１…被操作部
４２…押し面
４３…引掛け面
４４…ムービングプレート
４８…開口部
５１…押込み用治具（治具）
５２…引戻し用治具（治具）
５４…係止解除用治具（治具）
【図１】
2020080272.tif 000003
【図２】
2020080272.tif 000004
【図３】
2020080272.tif 000005
【図４】
2020080272.tif 000006
【図５】
2020080272.tif 000007
【図６】
2020080272.tif 000008
【図７】
2020080272.tif 000009
【図８】
2020080272.tif 000010
【図９】
2020080272.tif 000011
【図１０】
2020080272.tif 000012
【図１１】
2020080272.tif 000013